(57)【特許請求の範囲】
【請求項１】
パイプ状をなし、その周面には周方向及び上下方向で異なる位置となるように連結金具が設けられた支柱を建物の外壁に沿って上方へ複数本連結するとき、建物の外壁よりも外方へ張り出した突出部を避けて支柱をさらに上方へ連結するために用いられる仮設足場用のブラケットであって、
前記支柱の連結金具に対して略水平方向に延びるように連結される棒状をなす水平材と、該水平材から上方へ延設され、その上方から別の支柱が外嵌されるパイプ状をなすほぞとを備え、該ほぞの周面上には外嵌された支柱を下方から支持するための筒状をなす位置調節用カラーを上下動可能に装着するとともに、該位置調節用カラーをほぞ上で上方及び下方へ移動させたときに上部位置及び下部位置で位置保持可能とするための位置保持手段を設け、水平材が固定される連結金具の上下位置に対応して位置調節用カラーを上部位置と下部位置とに切り換え可能に構成することを特徴とする仮設足場用のブラケット。
【請求項２】
前記位置保持手段は、プレス加工により位置調節用カラーの周壁に透設された位置調節用カラーの移動を案内するための略Ｌ字状をなすガイド孔と、該ガイド孔の内側に位置するようにほぞの周面上に突設されたガイドピンとから構成され、ほぞ上で位置調節用カラーを回転及び上下動させ、ガイド孔の一端周縁部及び他端周縁部をガイドピンに係合させることにより位置調節用カラーを上部位置及び下部位置で位置保持可能に構成することを特徴とする請求項１に記載の仮設足場用のブラケット。
【発明の詳細な説明】
【０００１】
【発明の属する技術分野】
この発明は、例えばベランダ、軒、庇等のような突出部を有する建物の外壁に沿って仮設足場を構築するとき、この突出部を避けて仮設足場の支柱を上方へ連結するために用いられる仮設足場用のブラケットに関するものである。
【０００２】
【従来の技術】
従来、仮設足場は、建物の周囲に沿って所定間隔おきに二列ずつ立設された支柱と、隣接する支柱の間に架設されたブラケットと、隣接するブラケットの間に架設された踏み板とから構成されている。前記支柱は金属パイプより形成され、その上端部には支柱よりも一回り小さなサイズの連結筒が嵌挿固定されている。この支柱は、該連結筒を他の支柱の下端部に嵌挿することにより、建物の外壁に沿って上方へ延びるように複数本が建物の高さに対応するだけ上下に連結されている。また、支柱の上端部及び下端部の外周面には金属板を折り曲げることにより平面コ字状に形成された連結金具がそれぞれ二対ずつ突設されている。これら連結金具は、支柱を挟んで対向する一対は同じ高さに、支柱の周方向に隣接する２つは上下で異なる位置となるように配設されている。
【０００３】
前記ブラケットは、金属パイプよりなる水平材と、水平材の両端部から垂下された一対の楔部とから構成されている。そして、前記連結金具に対し、ハンマー等を用いて該楔部を上方から嵌入することにより、両支柱に水平材が略水平状に延びるように連結されている。また、前記踏み板はその両端部に一対の掛止爪を有しており、両掛止爪をそれぞれ水平材に掛止することにより、ブラケット間に架設されている。
【０００４】
上記の仮設足場を構築するとき、建物が例えばベランダ、軒、庇等のようなその外壁上から突出する突出部を有する場合には、突出部を避けて支柱を上方へ連結するため、次のような構成のブラケットが用いられている。すなわち、該ブラケットは、上記の構成に加え、その水平材上に支柱よりも一回り小さな外径のパイプよりなるほぞが立設されて構成されている。該ほぞは水平材の長さ方向の中間部に配設されるとともに、水平材の端部までの距離が突出部に干渉されない程度に十分な長さとなるように設定されている。そして、該ほぞに対し、その上方から支柱の下端部を外嵌することにより水平材及び一対の支柱が略クランク状をなすようにほぞを介して連結され、突出部を避けるように配設される。
【０００５】
【発明が解決しようとする課題】
ところが、上記のブラケットによれば、水平材が連結される連結金具は隣接する一対が上下で異なる位置となっており、建物の外壁と平行に水平材を配設した場合と、外壁に対して直交するように水平材を配設した場合とではブラケットの高さが異なってしまう。このような場合、ブラケットのほぞに連結された支柱とその他の支柱とで互いの連結金具同士が同じ高さに揃わず、ほぞに連結された支柱が水平材から浮き上がった状態となったり、支柱の間にブラケットを架設できなくなったり等してしまうおそれがある。このため、ブラケットを架設するときには、支柱同士の連結金具の位置関係を考慮に入れながら仮設足場の構築作業を行わねばならず、このような作業が繁雑で長い時間を要するものとなるという問題があった。
【０００６】
この発明は、このような従来技術に存在する問題点に着目してなされたものである。その目的とするところは、ほぞに連結された支柱の連結金具の上下位置を容易に変更することができる仮設足場用のブラケットを提供することにある。
【０００７】
【課題を解決するための手段】
上記の目的を達成するために、請求項１に記載の仮設足場用のブラケットの発明は、パイプ状をなし、その周面には周方向及び上下方向で異なる位置となるように連結金具が設けられた支柱を建物の外壁に沿って上方へ複数本連結するとき、建物の外壁よりも外方へ張り出した突出部を避けて支柱をさらに上方へ連結するために用いられる仮設足場用のブラケットであって、前記支柱の連結金具に対して略水平方向に延びるように連結される棒状をなす水平材と、該水平材から上方へ延設され、その上方から別の支柱が外嵌されるパイプ状をなすほぞとを備え、該ほぞの周面上には外嵌された支柱を下方から支持するための筒状をなす位置調節用カラーを上下動可能に装着するとともに、該位置調節用カラーをほぞ上で上方及び下方へ移動させたときに上部位置及び下部位置で位置保持可能とするための位置保持手段を設け、水平材が固定される連結金具の上下位置に対応して位置調節用カラーを上部位置と下部位置とに切り換え可能に構成することを特徴とするものである。
【０００８】
請求項２に記載の仮設足場用のブラケットの発明は、請求項１に記載の発明において、前記位置保持手段は、プレス加工により位置調節用カラーの周壁に透設された位置調節用カラーの移動を案内するための略Ｌ字状をなすガイド孔と、該ガイド孔の内側に位置するようにほぞの周面上に突設されたガイドピンとから構成され、ほぞ上で位置調節用カラーを回転及び上下動させ、ガイド孔の一端周縁部及び他端周縁部をガイドピンに係合させることにより位置調節用カラーを上部位置及び下部位置で位置保持可能に構成することを特徴とするものである。
【０００９】
【発明の実施の形態】
以下、この発明の実施形態を、図面に基づいて詳細に説明する。
図１に２点鎖線で示す建物において、その周囲には外壁１０に沿って複数本の支柱１１が所定間隔おきに立設されるとともに、各支柱１１の間には外壁１０と略平行に延びるように金属パイプよりなる横架材１２が架設されている。この建物の上部位置には突出部としての軒１０ａが外壁１０よりも外方に張り出すように設けられている。そして、軒１０ａと対応する箇所にはこれを避けるように実施形態のブラケット２０が配設されることによって支柱１１、横架材１２、ブラケット２０等により構成される仮設足場が建物の周囲に構築されている。
【００１０】
前記支柱１１は金属パイプより形成され、その上端部には支柱１１よりも一回り小さなサイズの連結パイプ１３が嵌挿固定されるとともに、該連結パイプ１３を介して複数本の支柱１１が上下に連結されている。支柱１１の上端部及び下端部の外周面には金属板を折り曲げることにより平面コの字状に形成された連結金具１６が支柱１１の周方向で９０゜間隔おきにそれぞれ４つずつ溶接固定されている。該連結金具１６には前記横架材１２の両端部に接合された一対の楔金具１８がそれぞれ嵌着されており、この連結金具１６を介して支柱１１に横架材１２が連結されている。
【００１１】
４つの連結金具１６は、支柱１１を挟んで対向する２つが同じ高さに、支柱１１の周方向に隣接する２つは、一方が他方よりも下方に位置するように配設されている。支柱１１の下端部及び連結パイプ１３のそれぞれの周壁には、４つの連結金具１６のうち下方に配置された２つの連結金具１６と対応する位置となるように各一対の連結穴１４が透設されている。一方の支柱１１の上方に他方の支柱１１を連結する際には、連結パイプ１３の連結穴１４に他方の支柱１１の連結穴１４が位置合わせされ、これら連結穴１４にピン１５が挿入されるようになっている。この状態で支柱１１同士の脱着と、一方の支柱１１に対する他方の支柱１１の回動とが規制されている。加えて、他方の支柱１１における連結金具１６同士の上下の位置関係が一方の支柱１１における連結金具１６同士の上下の位置関係と同じになるように構成されている。
【００１２】
図１〜図３に示すように、前記ブラケット２０は、支柱１１に対して略水平方向に延びるように配設される金属パイプ製の水平材２１と、水平材２１の先端部から上方へ延びるほぞ２２とを有し、側方から見て全体の形状が略横Ｌ字状となるように形成されている。前記水平材２１の基端部には楔金具１８が接合されており、この楔金具１８を支柱１１の連結金具１６に嵌着することにより、水平材２１の基端部が支柱１１に連結されている。前記ほぞ２２は、その外周面上に支柱１１を外嵌することができるように支柱１１よりも一回り小さなサイズの金属パイプより形成されており、その下端部周面において水平材２１の先端部に溶接固定されている。また、ほぞ２２の上端周面は上方に向かうに従って縮径するテーパ面２２ａとなっており、このテーパ面２２ａにより支柱１１を外嵌しやすくなっている。
【００１３】
水平材２１の中間部下面には金属板よりなる補強材２３が水平材２１を連結した支柱１１に向かって斜め下方に延びるように溶接固定されている。この補強材２３の先端部には当て板２４が取付けられており、該当て板２４を支柱１１の周面に接触させることにより、補強材２３で水平材２１を下方より支持することができるようになっている。また、水平材２１の基端部と補強材２３の先端部の間には金属板よりなる間隔保持材２５が上下方向に延びるように架設されており、水平材２１と補強材２３との間隔を一定に保持するようになっている。
【００１４】
前記ほぞ２２の外周面上にはほぞ２２よりも一回り大きなサイズの円筒状をなす位置調節用カラー２６が上下動可能に装着されている。そして、ほぞ２２に支柱１１を外嵌した状態で支柱１１の下端面を位置調節用カラー２６の上端面に載せることにより、支柱１１が所定の高さに支持されるようになっている。
【００１５】
図３に示すように、位置調節用カラー２６の周壁には上下方向に延び、かつその下端からさらに周方向に延びるようにＬ字状をなす一対のガイド孔２７が透設されている。これらガイド孔２７は、その上下方向の長さが上方の連結金具１６と下方の連結金具１６の高さの差とほぼ同じになるように設定されている。また、これらガイド孔２７は、プレス加工で位置調節用カラー２６の周壁を打ち抜くことにより形成され、位置調節用カラー２６の軸線を中心に互いに点対称の位置関係となるように配置されている。ほぞ２２の周壁において、水平材２１との連結部よりも若干上方位置には挿通穴２９が貫設されている。この挿通穴２９には位置調節用カラー２６がほぞ２２に外嵌された状態でガイド孔２７を介して外部からガイドピン３０の棒状をなす軸部３０ｂが挿通されている。
【００１６】
該ガイドピン３０は、軸部３０ｂの一端部に円板状をなす頭部３０ａを有しており、この頭部３０ａはガイド孔２７の内側に入り込むことなく、位置調節用カラー２６の外周面上に位置するように構成されている。このガイドピン３０の軸部３０ｂを挿通穴２９に挿通した状態でその他端部をかしめて潰すことによりガイドピン３０がほぞ２２に対して固定されるとともに、位置調節用カラー２６のほぞ２２からの抜け出しが規制されている。また、ほぞ２２に固定された状態でガイドピン３０の軸部３０ｂは、その両端部が各ガイド孔２７の内側にそれぞれ位置するようにほぞ２２の周面上から突出されている。
【００１７】
図４（ａ）〜（ｄ）に示すように、位置調節用カラー２６はガイド孔２７及びガイドピン３０に案内されながら、ほぞ２２に対して回動及び上下動することができるように構成されている。該ガイド孔２７において、周方向に延びる箇所の上端縁である一端周縁部には上方へ膨らむ円弧状をなす第１係止孔２８が形成されている。加えて、ガイド孔２７において、上下方向に延びる箇所の上端である他端周縁部には上方へ膨らむ円弧状をなす第２係止孔２８ａが形成されている。これら第１係止孔２８及び第２係止孔２８ａを備えるガイド孔２７は、全体で略Ｊ字状をなすように形成されている。そして、第１係止孔２８及び第２係止孔２８ａの周縁部がそれぞれガイドピン３０に接触されることにより、位置調節用カラー２６はほぞ２２に対する回動及び上下動を抑制されている。
【００１８】
上記のガイド孔２７、第１係止孔２８、第２係止孔２８ａ、挿通穴２９、ガイドピン３０等により位置保持手段が構成されている。この位置保持手段により、位置調節用カラー２６は、ほぞ２２上で回動及び上下動させたとき、上部位置及び下部位置で位置保持することができるように構成されている。すなわち、図２（ａ）に示すように、第１係止孔２８をほぞ２２のガイドピン３０に係合させた状態で、位置調節用カラー２６は、その下端面が水平材２１の上端面から間隔をおいて上方に位置する上部位置に位置保持されている。また、図２（ｂ）に示すように、第２係止孔２８ａをほぞ２２のガイドピン３０に係合させた状態で、位置調節用カラー２６は、その下端面が水平材２１の上端面とほぼ同じ面内に位置する下部位置に位置保持されている。
【００１９】
上記のように位置調節用カラー２６を上部位置に位置保持した状態で支柱１１の下方の連結金具１６に水平材２１を連結すると、位置調節用カラー２６は、その上端が支柱１１の上端とほぼ同じ高さになるように構成されている。また、ガイド孔２７の上下方向の長さが上下の連結金具１６の高さの差とほぼ同じであることから、下部位置に切り換えられた位置調節用カラー２６は、上部位置にあるときと比較して連結金具１６の上下の高さの差だけ下方へ移動する。このため、位置調節用カラー２６を下部位置に位置保持した状態で上方の連結金具１６に水平材２１を連結した場合にも、位置調節用カラー２６の上端は支柱１１の上端とほぼ同じ高さとなる。そして、連結金具１６の上下位置に応じて位置調節用カラー２６が下部位置か上部位置に切り換えられることにより、位置調節用カラー２６上に載せられた支柱１１は、水平材２１が連結された支柱１１の上方に連結された場合と同じ高さで支持されるようになっている。
【００２０】
図２（ａ）に示すように、支柱１１の下方の連結金具１６に水平材２１が連結された状態において、連結パイプ１３に設けられた連結穴１４は水平材２１の延びる方向に開口するように配置されている。この状態の連結穴１４と同じ高さで、かつ開口する方向が同じとなるように、ほぞ２２の周壁には位置合わせ手段を構成する第１連結穴１４ａが貫通形成されている。
【００２１】
図２（ｂ）に示すように、支柱１１の上方の連結金具１６に水平材２１が連結された状態において、連結パイプ１３に設けられた連結穴１４は水平材２１の延びる方向と直交する方向に開口するように配置されている。この状態の連結穴１４と同じ高さで、かつ開口する方向が同じとなるように、ほぞ２２の周壁において、前記第１連結穴１４ａよりも下方には位置合わせ手段を構成する第２連結穴１４ｂが貫通形成されている。また、該第２連結穴１４ｂと第１連結穴１４ａの高さの差は、上方の連結金具１６と下方の連結金具１６の高さの差とほぼ同じになるように設定されている。
【００２２】
図１に示すように、位置調節用カラー２６に載せられた支柱１１は、その連結穴１４を第１連結穴１４ａ又は第２連結穴１４ｂに位置合わせしてピン１５を挿入することにより、ほぞ２２からの脱着及びほぞ２２に対する回動を規制されるようになっている。前に挙げたように、支柱１１及び連結パイプ１３の連結穴１４は、支柱１１同士を連結した際に互いの連結金具１６同士の上下の位置関係を維持するため、下方の連結金具１６と対応する位置に設けられている。そして、上部又は下部位置にある位置調節用カラー２６上に支柱１１を載せた状態で、連結穴１４を第１連結穴１４ａ又は第２連結穴１４ｂに合わせると、該支柱１１の連結金具１６同士の上下の位置関係は、水平材２１が連結された支柱１１の上方に連結された場合と同じになる。
【００２３】
上記の水平材２１、楔金具１８、ほぞ２２、補強材２３、間隔保持材２５、位置調節用カラー２６等によりブラケット２０が構成されている。そして、ブラケット２０に連結された支柱１１は、他の支柱１１に対して、位置調節用カラー２６によりその高さを、第１連結穴１４ａ及び第２連結穴１４ｂにより連結金具１６同士の上下の位置関係を揃えられるよう構成されている。
【００２４】
次に、上記のブラケット２０の作用について説明する。
さて、図１に示すような仮設足場を建物の周囲に構築するときには、まず複数本の支柱１１が外壁１０に沿って所定間隔おきに立設された後、各支柱１１の間隔を保持するために横架材１２が架設される。このとき、横架材１２が斜めに架設されることを防止するため、各支柱１１は、それぞれの連結金具１６の上下の位置関係が対応するように配設される。次いで、建物の高さに対応するだけの支柱１１が上方へ延びるように連結される。そして、支柱１１の上端が軒１０ａに達し、これ以上は支柱１１を上方へ連結することができなくなったとき、軒１０ａを避けるように支柱１１の連結金具１６にブラケット２０が連結される。
【００２５】
ブラケット２０を連結するときには、まず補強材２３の当て板２４を支柱１１の周面に接触させながら、水平材２１の楔金具１８を連結金具１６に係合し、支柱１１に対して水平材２１を仮固定する。その後、ハンマー等を用いて楔金具１８を連結金具１６に嵌着することにより、水平材２１が１本の支柱１１に対して楔金具１８、補強材２３及び間隔保持材２５を介して支持され、ブラケット２０が１本の支柱１１に連結される。そして、ブラケット２０のほぞ２２に新たな支柱１１を連結することが可能となる。
【００２６】
ほぞ２２に支柱１１を連結するときには、まず水平材２１が連結される連結金具１６の上下位置に応じて、位置調節用カラー２６が下部位置及び上部位置に切り換えられる。例えば、図１及び図２（ａ）に示すように水平材２１が下方の連結金具１６に連結されたとき、位置調節用カラー２６が上部位置に切り換えられ、その上端面の高さが支柱１１の上端と同じ高さに揃えられる。この後、ほぞ２２の上方から支柱１１の下端部が外嵌されるとともに、その下端面が位置調節用カラー２６の上端面に載せられることにより、該支柱１１が他の支柱１１とその高さを揃えられた状態で水平材２１の先端から立設される。
【００２７】
その後、ほぞ２２に対して支柱１１が回動され、その連結穴１４が第１連結穴１４ａに位置合わせされることにより、該支柱１１の連結金具１６同士の上下の位置関係が他の支柱１１の連結金具１６同士の上下の位置関係に揃えられる。そして、連結穴１４及び第１連結穴１４ａにピン１５が挿入されてほぞ２２に支柱１１が連結されるとともに、該支柱１１とこれに隣接する支柱１１の間に横架材１２が架設されて仮設用足場が構築される。
【００２８】
図２（ｂ）に示すように、水平材２１が上方の連結金具１６に連結された際、位置調節用カラー２６は上部位置から下部位置に切り換えられる。この位置調節用カラー２６の上部位置から下部位置への切り換え操作について説明する。
【００２９】
まず、位置調節用カラー２６は、上部位置に位置保持された状態で図４（ａ）に示すように、第１係止孔２８の内周面がガイドピン３０に係合されており、周方向への回動を抑制されている。この状態から図中に矢印で示すように位置調節用カラー２６を若干上方へ移動させると、図４（ｂ）に示すように、第１係止孔２８のガイドピン３０に対する係合が解除され、ガイド孔２７がその内底面がガイドピン３０に接触されるように移動される。この状態で位置調節用カラー２６は、ガイド孔２７及びガイドピン３０に案内されながらの周方向への回動が許容される。
【００３０】
この後、ガイド孔２７及びガイドピン３０に案内させながら、図中に矢印で示す方向に位置調節用カラー２６を回動させると、図４（ｃ）に示すように、ガイド孔２７の内側面がガイドピン３０に接触される。この状態で位置調節用カラー２６は、ガイド孔２７及びガイドピン３０に案内されながらの上下方向への移動が許容される。その後、ガイド孔２７及びガイドピン３０に案内させながら、位置調節用カラー２６を図中に矢印で示すように下方へ移動させると、やがて図４（ｄ）に示すように、第２係止孔２８ａの内周面がガイドピン３０に係合される。そして、位置調節用カラー２６は、周方向への回動を抑制されるとともに、自重が加わることにより上方へ移動することもなく、下部位置に位置保持される。
【００３１】
位置調節用カラー２６を下部位置から上部位置へ切り換える場合、ガイド孔２７及びガイドピン３０の案内する方向に従って位置調節用カラー２６を一旦上方へ移動させた後、回動させ、図４（ｂ）に示す状態とした後、位置調節用カラー２６を若干下方へ移動させることにより、位置調節用カラー２６が上部位置に位置保持される。
【００３２】
前記の実施形態によって発揮される効果について、以下に記載する。
・  実施形態のブラケット２０によれば、水平材２１が連結される連結金具１６の上下位置に対応してほぞ２２上に装着された位置調節用カラー２６を下部位置及び上部位置に切り換えることができるようになっている。このため、ほぞ２２に外嵌され、位置調節用カラー２６に載せられた支柱１１は、位置調節用カラー２６を下部位置及び上部位置に適宜切り換えることにより連結金具１６の上下位置を容易に変更することができ、その高さを他の支柱１１の連結金具１６の高さに合わせることができる。
【００３３】
・  位置調節用カラー２６にはＬ字状のガイド孔２７が透設されており、このガイド孔２７の案内により位置調節用カラー２６をほぞ２２上で移動させることにより、位置調節用カラー２６を下部位置及び上部位置に容易に移動させることができる。
【００３４】
・  また、ほぞ２２の周壁には、位置調節用カラー２６の下部位置及び上部位置に対応して第２連結穴１４ｂ及び第１連結穴１４ａが互いに直交する方向に開口するように透設されている。これら第２連結穴１４ｂ及び第１連結穴１４ａに支柱１１の連結穴１４を位置合わせすることにより、当該支柱１１と他の支柱１１との連結金具１６同士の上下の位置関係を容易に揃えることができる。
【００３５】
・  ブラケット２０の水平材２１は、その基端部のみが１本の支柱１１に連結されるように構成されている。このため、例えば連結される支柱１１と、これに隣接する支柱１１との間において、互いの連結金具１６の位置関係が異なる場合であっても、連結金具１６の位置関係に係わらず、支柱１１の間にブラケット２０を配設することができる。
【００３６】
なお、本実施形態は、次のように変更して具体化することも可能である。
・  位置保持手段は、ガイド孔２７、ガイドピン３０等で構成することに限定されず、次のように構成してもよい。例えば、図５に示すように、位置調節用カラー２６の周壁には１つの丸孔４１を透設し、ほぞ２２の周壁には上下一対の丸孔４１を透設し、ほぞ２２の上部又は下部の丸孔４１に位置調節用カラー２６の丸孔４１を位置合わせした状態で各丸孔４１に丸棒４２を挿通し、位置調節用カラー２６を上部位置又は下部位置に位置保持するように構成してもよい。
【００３７】
あるいは、図６（ａ），（ｂ）に示すように、上下一対の円筒部材２６ａ，２６ｂより位置調節用カラー２６を構成してもよい。これら一対の円筒部材２６ａ，２６ｂには、下方の円筒部材２６ｂの上端周壁及び上方の円筒部材２６ａの下端周壁をそれぞれ半円筒状に切り欠くことにより段差部４３が設けられている。また、下方の円筒部材２６ｂはほぞ２２に溶接接合され、上方の円筒部材２６ａはほぞ２２に対して上下動可能に外嵌されている。そして、下方の円筒部材２６ｂに対し上方の円筒部材２６ａを上下動及び回動させ、互いの段差部４３の凹部に段差部の凸部が収容されるようにして両円筒部材を２６ａ，２６ｂを係合させたときには下方位置、互いの段差部４３の凸部を上下に係合させたときには上方位置となるように構成してもよい。
【００３８】
・  ガイド孔２７はＬ字状のものに限定されず、例えばコ字状、クランク状、逆Ｔ字状、レ字状、四半円弧状等としてもよい。
・  前記ほぞ２２を水平材２１の中間部から立設するとともに、水平材２１の先端部に基端部と同様の楔金具を取り付け、一対の支柱１１の間において、水平材２１の両端部を各支柱１１にそれぞれ連結してもよい。このように構成した場合、水平材２１に上方から加わる外力を両端部に設けられた楔金具で分散して受けることができ、ブラケット２０を支柱１１に対して安定して支持させることができる。
【００３９】
・  実施形態ではブラケット２０の水平材２１が連結された支柱１１の上端面と、位置調節用カラー２６の上端面とが同じ高さになるように位置調節用カラー２６を移動させたが、これに限らず、ブラケット２０に連結される支柱１１と隣接する支柱１１の上端面と、位置調節用カラー２６の上端面とが同じ高さになるように位置調節用カラー２６を移動させてもよい。
【００４０】
・  位置合わせ手段は、第１連結穴１４ａ及び第２連結穴１４ｂによって構成されることに限らず、例えばほぞ２２又は位置調節用カラー２６の外周面に設けられたけがき線、位置調節用カラー２６の上端面に設けられた凸部及び支柱１１の下端面に設けられた凹部等により構成してもよい。また、位置調節用カラー２６にけがき線、凸部等を設けて位置合わせ手段を構成する場合には、ガイド孔２７の周方向に延びる箇所をその中心角が約９０゜となるように形成することが好ましい。そして、ほぞ２２上で位置調節用カラー２６を位置合わせ手段とともに９０゜回動させ、この位置合わせ手段に支柱１１を対応させることにより、他の支柱１１との連結金具１６同士の上下の位置関係を揃えることができるように構成してもよい。
【００４１】
さらに、前記実施形態より把握できる技術的思想について以下に記載する。
・  前記水平材の基端部には連結金具に嵌着される楔金具を取着し、先端部にはほぞを接合することにより、水平材をその基端部のみで楔金具を介して１本の支柱に連結することを特徴とする請求項１又は請求項２に記載の仮設足場用のブラケット。このように構成した場合、ブラケットの水平材を常に略水平状に装着することができる。
【００４２】
・  前記ガイド孔の上下方向の長さが上方の連結金具と下方の連結金具との高さの差とほぼ同じであることを特徴とする請求項２に記載の仮設足場用のブラケット。このように構成した場合、連結金具の上下位置に対応して支柱同士の連結金具の高さを確実に合わせることができる。
【００４３】
・  前記ガイドピンは、丸棒状をなす軸部と、該軸部の一端部に設けられた円板状をなす頭部とから構成され、ほぞに位置調節用カラーが外嵌された状態で、ガイド孔を介し、ほぞに設けられた挿通穴にその軸部を他端部側から挿通した後、ほぞの外部に露出する他端部をかしめて潰すことにより、ほぞに対して固定されることを特徴とする請求項２に記載の仮設足場用のブラケット。このように構成した場合、ガイドピンをほぞに固定することができるとともに、位置調節用カラーのほぞからの抜け出しを規制することができる。
【００４４】
・  前記連結金具は、支柱の周方向で９０゜間隔おきに４つが設けられ、支柱を挟んで対向する２つが同じ高さに、支柱の周方向に隣接する２つは、一方が他方よりも下方に位置するように配設されるとともに、前記ほぞ及び位置調節用カラーのうち少なくとも一方には、位置調節用カラーにより支持された支柱の連結金具同士の上下の位置関係と、他の支柱の連結金具同士の上下の位置関係とを揃えるため、４つの連結金具のうちの下方又は上方に配置された２つと対応する位置となるように位置合わせ手段を設けることを特徴とする請求項１又は請求項２に記載の仮設足場用のブラケット。このように構成した場合、ほぞに連結された支柱の連結金具同士の上下の位置関係を容易に変更することができる。
【００４５】
【発明の効果】
以上詳述したように、この発明によれば、次のような効果を奏する。
請求項１に記載の発明によれば、ほぞに連結された支柱の連結金具の上下位置を容易に変更することができる。
【００４６】
請求項２に記載の発明によれば、請求項１に記載の発明の効果に加えて、位置調節用カラーを上部位置及び下部位置に容易に切り換えることができる。
【図面の簡単な説明】
【図１】  実施形態のブラケットの使用状態を示す斜視図。
【図２】  （ａ）は位置調節用カラーを上部位置に切り換えた状態を示す側面図、（ｂ）は位置調節用カラーを下部位置に切り換えた状態を示す側面図。
【図３】  ほぞに位置調節用カラーを装着する状態を示す分解斜視図。
【図４】  （ａ）は位置調節用カラーが上部位置に切り換えられた状態を示す側面図、（ｂ）は位置調節用カラーを回動させる前の状態を示す側面図、（ｃ）は位置調節用カラーを回動させた状態を示す側面図、（ｄ）は位置調節用カラーが下部位置に切り換えられた状態を示す側面図。
【図５】  別形態の位置調節用カラーをほぞに装着する状態を示す分解斜視図。
【図６】  （ａ）は別形態の位置調節用カラーを下部位置に切り換えた状態を示す側面図、（ｂ）は別形態の位置調節用カラーを上部位置に切り換えた状態を示す側面図。
【符号の説明】
１０…外壁、１１…支柱、１６…連結金具、２０…ブラケット、２１…水平材、２２…ほぞ、２６…位置調節用カラー、２７…ガイド孔、３０…ガイドピン。
【図１】
0003733303.tif 000002
【図２】
0003733303.tif 000003
【図３】
0003733303.tif 000004
【図４】
0003733303.tif 000005
【図５】
0003733303.tif 000006
【図６】
0003733303.tif 000007